(57)【要約】【課題】溶着加工のみであっても、容器内部に入隅部分が生ずることがなく、汚れ落し性に優れ、かつ安価に提供できるこの種釣り用容器を提供する。【解決手段】熱可塑性合成樹脂製の箱型容器本体部１の上面開口に蓋部８を備えた釣り用容器９において、前記容器本体部９は、底板部２ｂの長手方向両側に湾曲面部２ｃを介して側板部２ａを一体に立ち上げ形成した底板材２と、底板材２両側の縁部に沿った外形とされた一対の側板３と、側板３と前記底板材２の接合縁に沿い、かつそれぞれの縁部に沿って添設される一対の当て板４とから構成され、前記当て板４を介して前記側板３と前記底板材２間を溶着若しくは接着して一体化した。【選択図】        図６
2004329070.tif 000002
【特許請求の範囲】
【請求項１】
熱可塑性合成樹脂製の箱型容器本体部の上面開口に蓋部を備えた釣り用容器において、
前記容器本体部は、底板部の長手方向両側に湾曲面部を介して側板部を一体に立ち上げ形成した底板材と、底板材両側の縁部に沿った外形とされた一対の側板と、側板と底板材の接合縁に沿い、かつそれぞれの縁部に沿って添設される一対の当て板とから構成され、当て板を介して側板と底板材間を溶着若しくは接着して一体化したものであることを特徴とする釣り用容器。
【請求項２】
前記当て板が底板材及び側板の外面又は内面に添設されていることを特徴とする請求項１記載の釣り用容器。
【請求項３】
前記容器本体部外面の両側部に、略枠形状の把手が上下に回動自在に設けられ、該把手の下位置において、把手の中間枠部分が容器本体部の下部の外側部において略平行に設置されて、地面上に容器本体部を保持する構成になることを特徴とする請求項１又は２記載の釣り用容器。
【発明の詳細な説明】
【０００１】
【発明の属する技術分野】
本発明は、特に撒き餌などを収容して搬送するのに好適な、一般にバッカンと称される合成樹脂製の箱型釣り用容器に関する。
【０００２】
【従来の技術】
例えば、船釣、磯釣などで魚をおびき寄せるためにオキアミなどの撒き餌を頻繁に使用する。その撒き餌の劣化を防止するためと、周囲にまき散らすことを防止することを目的としてこの種の釣り用容器が使用される。
この釣り用容器にあっては、安価で、汚れやにおいがついても直ちに落せる塩化ビニールシートなどの熱可塑性合成樹脂の溶着加工品からなっており、安価かつ携帯性に優れている。
【０００３】
しかし、この種の樹脂シート材質からなるものは、一般に、図９に示すように、高周波または超音波溶着によって底板ａと側板ｂを直接一体化するため、側板ｂの下縁を外側に折曲げて溶着しろｃを確保しているが、この折曲げ部位の内側に僅かなＲがついているため、この部位に入隅部ｄが形成され、この入隅部ｄに撒き餌の残滓が入り込むと、水洗いによってもなかなかとれず、汚れが集積する原因となる。
【０００４】
そこで従来は、底板部分のみを真空成形などによりＲのついた浅底容器で構成し、この浅底容器の周縁に側板を溶着したものが開発されている（特許文献１）。
【０００５】
【特許文献１】
特開平１１−１６９０４８号公報
【０００６】
【発明が解決しようとする課題】
しかしながら、このような従来の構成によると、真空成形するために金型を必要とし、金型代が高価となる。一方、この種の釣り用容器の単価には上限があり、いわゆる流行ものと称し、一時的な売筋商品となったとしても、その商品サイクルは短く、多品種少量生産を余儀なくされるため、コスト的には極めて不利となる。
【０００７】
本発明は、以上の課題を解決するものであり、その目的とするところは、溶着加工のみであっても、容器内部に入隅部分が生ずることがなく、汚れ落し性に優れ、かつ安価に提供できるこの種釣り用容器を提供することにある。
【０００８】
【課題を解決するための手段】
前記目的を達成するため、本発明は図の実施の形態にも示すように、熱可塑性合成樹脂製の箱型容器本体部１の上面開口に蓋部８を備えた釣り用容器９において、前記容器本体部９は、底板部２ｂの長手方向両側に湾曲面部２ｃを介して側板部２ａを一体に立ち上げ形成した底板材２と、底板材２両側の縁部に沿った外形とされた一対の側板３と、側板３と前記底板材２の接合縁に沿い、かつそれぞれの縁部に沿って添設される一対の当て板４とから構成され、前記当て板４を介して前記側板３と前記底板材２間を溶着（融着）若しくは接着して一体化したものであることを特徴としている。
【０００９】
前記当て板４は、底板材２及び側板３の外面又は内面に添設させるようにすればよい。また、当て板４の長手方向に沿う中心線部を二つ折りにし、その一側片を底板材２の内面又は外面に添設し、その他側片を側板３の外面又は内面に添設して、溶着又は接着させるようにしてもさしつかえない。
【００１０】
また、前記容器本体部１外面の両側部に、略枠形状の把手１２を上下に回動自在に設け、該把手１２の下位置において、把手１２の略直線状とした中間枠部分１２ａが容器本体部１の下部の外側部において略平行に設置されて、地面上に容器本体部１を保持する構成とする。
【００１１】
したがって、本発明では、容器本体部１の内側における長手方向両側が円弧状の湾曲面部２ｃとなっており、撒き餌などをスプーン等ですくい上げるに際してはデッドスペースが生ずることがなく、かつ幅方向両側の側板３との接合位置角部においては入隅部が生ずることがなく、清掃性に優れ、かつ容器を構成する各部材を全て熱溶着によって組立てることができるので、金型などが不要となり、安価に提供できる。
【００１２】
【発明の実施の形態】
以下、本発明の好ましい実施の形態につき、添付図面を参照して詳細に説明する。図１〜図７は本発明の実施の形態を示すものである。
【００１３】
図１において、容器本体部１は、やや厚手の、ＥＶＡ（エチレン酢酸ビニール）や塩ビシート等の熱可塑性合成樹脂からなり、底板部２ｂの長手方向両側に湾曲面部２ｃを介して、折曲げ加工により側板部２ａを一体に立ち上げ形成した底板材２と、底板材２の縁部に沿って形成された塩ビシート等の熱可塑性合成樹脂からなる板状の一対の側板３と、側板３及び底板材２の接合縁周囲に包囲下状態で添設されるべく形成された厚手のＥＶＡ（エチレン酢酸ビニール）や塩ビシート等の熱可塑性合成樹脂からなる断面Ｌ形の一対のテープ状の当て板４とから構成されている。
【００１４】
これら各部材のうち、底板材２及び片側の側板３及び片側の当て板４を、図２に示すごとく、底板材２の内法寸法に合わせて形成された雄型ブロック５に積層状態にセットし、当て板４の位置に超音波ホーンなどを押し当て、超音波加工することで、各部材は加熱、加圧により溶着され一体に接合される。
【００１５】
次いで雄型ブロック５を裏返し、残りの側板３および当て板４を雄型ブロック５にセットし、同一要領で加熱溶着すれば、図３、図４に示すごとく、略Ｕ字型若しくは角部をアール形状とした略コ字型をなす容器本体部１が完成する。
【００１６】
完成状態では、図５に拡大して示すように、底板材２と側板３とは単なる突き合せであって、かつこの突き合せ部分は溶着により一体化されているため、従来のような隙間または入隅部が生ずることがない。
【００１７】
なお、当然ではあるが、容器本体部１を構成する各部材は、その内面を平滑面とし、外側をエンボスまたはしぼ加工面とすることで、容器本体部１の内面は平滑となり、汚れ落し性に優れたものとなる。
【００１８】
容器本体部１の完成後は、図６に示すように、各側板３の外面に把手部材７及び本体部１の開口縁に蓋部８を熱溶着によって取付ければ、図７に示すように、釣り用容器９が完成する。
【００１９】
図６において、把手部材７は、前記側板３に前記と同様に熱溶着により固定される取付けベース１０と、取付けベース１０の表面に突出状態に横設された筒状の把手受け１１と、把手受け１１に回動可能に軸受された略角枠形状の把手１２とからなっている。把手１２は、図７（ａ），（ｂ）に示すように、把手受け１１内に設けた図示しないクリックストッパなどにより、上位置、すなわち搬送時の把手１２の本来の機能と、下位置のいずれかに回動付勢されており、特に（ｂ）に示す下位置では、把手１２の略直線状の中間枠部分１２ａが容器本体部１の下部の外側に平行に位置することによって、地面上に容器本体部１を自立保持させ、底部が略Ｕ字型であることによる設置不安定性を解消するようになっている。
【００２０】
蓋部８は、図示しない針金などにより枠取りされ、前記容器本体部１の開口周縁に溶着される接合基部１３と、接合基部１３上に一対のスライダー１４により開閉可能なファスナー１５を介して取付けられ、かつ長手方向一端に布ヒンジ１６を基点に回動可能な蓋１７とを備える。
蓋１７はその上面内部に図示しないパッドを内装したもので、樹脂ヒンジよりなる折れ部１８を介して、開閉側１７ａとヒンジ側１７ｂとに分割され、折れ部１８を介して開閉側１７ａをヒンジ側１７ｂに折返すとともに、それぞれに設けたボタン型ファスナよりなる雌雄の係合部１９、２０を係合することで、蓋１７をほぼ半開状態に保持できるようになっている。この半開状態で柄杓などにより内部に収納された撒き餌をすくい取ることができるようになっている。
【００２１】
なお、すくい上げ操作は長手方向に沿った操作となるが、前記図４に矢印で示すごとく、底板部２ｂと側板部２ａとが、円弧状湾曲面部２ｃで連続するため、デッドスペースがなく、効率よく掻集めることができる。
【００２２】
図８（ａ），（ｂ）は、本発明における容器本体部の組合わせの他の実施の形態を示す。先ず（ａ）では、容器本体部１における底板２の上面内側に断面Ｌ形とした当て板４の一片が配置され、当て板４の外側に側板３が配置された場合を示し、（ｂ）では当て板４は底板１の上面内側に配置され、また側板３は当て板４の内側に配置されている。いずれも三者は熱溶着により一体化され、前記実施の形態と同様な略Ｕ字型断面の容器本体部１に形成される。
【００２３】
以上の実施の形態では、容器の内側隅部に当て板４の厚み分の段差が形成される不利はあるが、この構造であっても入隅部は形成されないため、前記実施の形態と同じく、汚れ落し性に優れるものとなる。
【００２４】
【発明の効果】
以上の説明により明らかなように、本発明による釣り用容器にあっては、容器本体部の内側における長手方向両側が円弧状の湾曲面部となっており、撒き餌などをスプーン等ですくい上げるに際してはデッドスペースが生ずることがなく、かつ幅方向両側の側板との接合位置角部においては入隅部が生ずることがなく、清掃性に優れ、かつ容器を構成する各部材を全て熱溶着によって組立てることができるので、金型などが不要となり、安価に提供できるという実用上優れた効果がある。
【００２５】
さらに、容器本体部の外形が、略Ｕ字型若しくは角部をアール形状とした略コ字型をなしているところから、蓋部を開き、底部両側の湾曲面部をガイドとして、下方の容器本体内に、上方の容器本体の底部を挿入させるようにして、入れ子の状態で多数の釣り用容器を積み上げて収納させることができ、収納状態での省スペース化を実現できる。
【図面の簡単な説明】
【図１】本発明に係る釣り用容器の容器本体部の部品構成を示す分解斜視図である。
【図２】同部品を型にセットした状態を示す斜視図である。
【図３】同組立状態を示す斜視図である。
【図４】同側断面図である。
【図５】図３のＡ−Ａ線における拡大断面図である。
【図６】同本体部分とこれに組付けられるパーツを示す分解斜視図である。
【図７】同組立完成状態を示し（ａ）は搬送状態を、（ｂ）は設置状態を示す斜視図である。
【図８】（ａ），（ｂ）は本体部の組合わせの他の実施形態を示す部分斜視図である。
【図９】従来の溶着方式による釣り用容器の不具合を示す一部拡大部分を含む部分斜視図である。
【符号の説明】
１  容器本体
２  底板材、２ａ  側板部、２ｂ  底板部、２ｃ  湾曲面部
３  側板
４  当て板
７  把手部材
８  蓋部
１０  取付けベース
１１  把手受け
１２  把手、１２ａ  中間枠部
１３  接合基部
１４  スライダー
１５  ファスナー
１６  ヒンジ
１７  蓋、１７ａ  開閉側、１７ｂ  ヒンジ側
１８  折れ部
１９、２０  係合部
【図１】
2004329070.tif 000003
【図２】
2004329070.tif 000004
【図３】
2004329070.tif 000005
【図４】
2004329070.tif 000006
【図５】
2004329070.tif 000007
【図６】
2004329070.tif 000008
【図７】
2004329070.tif 000009
【図８】
2004329070.tif 000010
【図９】
2004329070.tif 000011